(57)【要約】【課題】      釣竿を持ち運ぶ時にキャップ部の中で釣竿が振動することことが防止された釣竿保護具を提供することである。【解決手段】  釣竿保護具１は、下方に開口２ａを有する袋状のキャップ部２とそのキャップ部２の開口２ａから下方に延びる帯状の連結部３と連結部３の下端部から左右方向に延びるベルト状の捲回部４を有している。  キャップ部２の外側部２ｃにはキャップ部２と同様の材料で形成されたベルト５が設けられている。  ベルト５の内側に雄の面ファスナからなる止着部５ａが設けられており、止着部５ａがキャップ部２の外側部２ｃの適当位置に着脱自在に止着可能となっている。【選択図】        図１
2007202456.tif 000002
【特許請求の範囲】
【請求項１】
下方に開口部を有し釣竿の先端を被覆するキャップ部と、釣竿の捲回部と、前記キャップ部と前記捲回部を連結する連結部を有する釣竿保護具において、前記キャップ部の外周に捲回するベルトを設けたことを特徴とする釣竿保護具。
【請求項２】
ベルトが横切る位置のキャップ部の側面に開口部に連通する切開部を設けたことを特徴とする請求項１記載の釣竿保護具。
【発明の詳細な説明】
【技術分野】
【０００１】
本発明は、釣竿の先端を被覆するキャップ部の緩みを防止した釣竿保護具に関する。
【背景技術】
【０００２】
従来から特許文献１のように、釣竿の先端を被覆するように形成した下方に開口部を有するキャップ部と、釣り竿の捲回部と、前記キャップ部と前記捲回部を連結する連結部を有する釣竿保護具が紹介されている。
この釣竿保護具はそのキャップ部で釣竿の先端を被覆し、これに連結部を介してキャップ部の下方に設けたベルト状の捲回部を釣竿に捲回して釣竿を保持するようになっていた。
しかし、この釣竿保護具によって複数の釣竿を保持するとキャップ部は釣竿の先端に被せた状態であるため釣竿を持ち運ぶ時にキャップ部の中で釣竿の穂先などが振動することことがあり、振動音が不快であったり釣竿の傷付き等が心配されていた。
【特許文献１】特開２０００−１１６２８４
【発明の開示】
【発明が解決しようとする課題】
【０００３】
解決しようとする問題点は、特許文献１のように、釣竿保護具を取り付けた釣竿を持ち運ぶ時にキャップ部の中で釣竿の穂先などが振動することことがあるため、振動音が不快であったり釣竿の傷付き等が懸念されることである。
【０００４】
本発明の目的は上記欠点に鑑み、釣竿を持ち運ぶ時にキャップ部の中で釣竿が振動することことが防止された釣竿保護具を提供することである。
【課題を解決するための手段】
【０００５】
本発明の請求項１は、下方に開口部を有し釣竿の先端を被覆するキャップ部と、釣竿の捲回部と、前記キャップ部と前記捲回部を連結する連結部を有する釣竿保護具において、前記キャップ部の外周に捲回するベルトを設けたこと要旨とするものである。
本発明の請求項２は、ベルトが横切る位置のキャップ部の側面に開口部に連通する切開部を設けたことを要旨とするものである。
【発明の効果】
【０００６】
本発明により、釣竿の先端に被覆したキャップ部の中で釣竿が振動することが防止され、釣竿の傷付きが防止される。
【発明を実施するための最良の形態】
【０００７】
以下、図示の実施例によって本発明を説明すると、図１から図３が本発明の第１実施例で、図１は釣竿保護具の正面図、図２は釣竿保護具のＡ−Ａ断面図、図３は釣竿に取り付けた状態の断面図である。
【０００８】
釣竿保護具１は、図１、図２のように、下方に開口２ａを有する袋状のキャップ部２とそのキャップ部２の開口２ａから下方に延びる帯状の連結部３と連結部３の下端部から左右方向に延びるベルト状の捲回部４を有している。
【０００９】
キャップ部２はゴムや合成樹脂等の柔軟性と伸縮性を有する材料で構成され、内部を収納部Ｓとして上方側が幅狭になるように形成され、釣竿が深く差し込まれるに釣れて釣竿の動きが規制されるようになっている。
【００１０】
キャップ部２の外側部２ｃにはキャップ部２と同様の材料で形成されたベルト５が設けられている。
ベルト５は、キャップ部２と一体に形成されているが、別体に形成して縫着や接着等によって取り付けてもよい。
ベルト５はその一端側がキャップ部２の外側部２ｃに設けられキャップ部２の外側部２ｃに沿って周方向に延びている。
【００１１】
ベルト５の内側に雄の面ファスナからなる止着部５ａが設けられており、一方、キャップ部２の外側部２ｃは繊維がループ状に形成された雌の面ファスナとなっており、止着部５ａがキャップ部２の外側部２ｃの適当位置に着脱自在に止着可能となっている。
【００１２】
連結部３はキャップ部２と一体に形成され、この連結部３がキャップ部２から下方に延設されることで捲回部４をキャップ部２から離間させて配し、双方で釣竿Ｔを安定保持できるようになっている。
【００１３】
捲回部４は連結部３と一体に形成され連結部３の下端部から左右に延びるベルト状部でその一端側の内側に雄の面ファスナからなる止着部４ａを有し、釣竿に捲回した時同じ捲回部４の対向面（外側面）側が、繊維がループ状に形成された雌の面ファスナとなっており、止着部４ａが捲回部４の対向面（外側面）の適当位置に着脱自在に止着可能となっている。
【００１４】
この釣竿保護具１を釣竿Ｔに取り付ける時は、図３のように束にした釣竿Ｔの先端にキャップ部２を被覆して、連結部３を下方に引きながら捲回部４を釣竿Ｔに捲回して止着部４ａを捲回部４の対向面（外側面）に止着する。
【００１５】
さらに、キャップ部２に設けたベルト５をキャップ部２の周方向に引き伸ばしながら捲回してキャップ部２の外側部２ｃの適当な位置に止着すると釣竿Ｔが確実に保持される。
【００１６】
この時、キャップ部２の収納部側がキャップ部２の柔軟性によって釣竿Ｔをその外周から押圧した状態となるため釣竿Ｔの振動や釣竿Ｔ同志がぶつかり合うことが防止される。
【００１７】
図４から図６は本願の釣竿保護具の第２実施例であり、図４は釣竿保護具の正面図、図２は釣竿保護具のＢ−Ｂ断面図、図３は釣竿に取り付けた状態の正面図である
【００１８】
この釣竿保護具１はキャップ部２の側面に切開部２ｂが設けられている。
この切開部２ｂは下方の開口部２ａに連なっておりキャップ部２の外側部２ｃの上方に向かって延びている。
【００１９】
そして、この切開部２ｂを横切るようにベルト５が設けられおり、このベルト５を引くことで切開部２ｂの開口が広がったり、閉じたりするようになっている。
したがって、ベルト５を強く引くことで切開部２ｂの開口を重合させることもでき、第１実施例よりもキャップ部２によって釣竿Ｔを強く締め付けた状態で保持できる。
その他は第１実施例と同様である。
【００２０】
なお、切開部２ｂの形状は直線状に限らず湾曲状に形成してよく、ベルト５はキャップ部２を周回するように形成してもよい。
【産業上の利用可能性】
【００２１】
本発明は釣竿保護具全般に利用できる。
【図面の簡単な説明】
【００２２】
【図１】第１実施例で釣竿保護具の正面図である。
【図２】同釣竿保護具のＡ−Ａ断面図である。
【図３】同釣竿に取り付けた状態の断面図である。
【図４】第２実施例で釣竿保護具の正面図である。
【図５】同釣竿保護具のＢ−Ｂ断面図である。
【図６】同釣竿に取り付けた状態の正面図である。
【符号の説明】
【００２３】
１  釣竿保護具
２  キャップ部
３  連結部
４  捲回部
５  ベルト
【図１】
2007202456.tif 000003
【図２】
2007202456.tif 000004
【図３】
2007202456.tif 000005
【図４】
2007202456.tif 000006
【図５】
2007202456.tif 000007
【図６】
2007202456.tif 000008